(57)【特許請求の範囲】
【請求項１】
合成樹脂製又はコンクリート製等よりなる構成材料を以て略方形状に形成される蓄養装置本体（１）には、端部より蓄養水槽（２）とフィルター槽（３）と濾過槽（４）及び該フィルター槽（３）に隣接して殺菌槽（５）と熱交換槽（６）を以て平坦状に一体的に構成した殺菌槽付活魚蓄養装置において、該蓄養水槽（２）には、内底部に目皿（８）を適宜位置に設けると共に、該目皿（８）の下部に吸水路（９）を連通し、該吸水路（９）には、一方の端部を隣接するフィルター槽（３）の底部と連通し、該フィルター槽（３）の内部に立設した溢流管（１０）に該吸水路（９）を連結し、該フィルター槽（３）内の該溢流管（１０）には、上部より噴出する糞埃を駆除するフィルター（１１）を上部に敷設し、該フィルター槽（３）には、隣接して濾過槽（４）を装設し、該濾過槽（４）には、内部に多孔板（１２）を敷設すると共に、該多孔板（１２）の上面に濾過材（１３）を積層し、且つ該濾過槽（４）には、底部より殺菌装置用循環ポンプを使用しない殺菌槽（５）に連通し、該殺菌槽（５）には、内部に流水式殺菌装置（１４）を装設すると共に、該殺菌槽（５）の上部より隣接する熱交換槽（６）に流通し、該熱交換槽（６）には、内部に縦型の軸流ポンプ（１５）を縦設し、該軸流ポンプ（１５）の流出口（１６）か該蓋養水槽（２）に向って流入して継続的に循環蓄養することを特徴とした殺菌装置付活魚蓄養装置。
【発明の詳細な説明】
【０００１】
【産業上の利用分野】
本発明は、各種の活魚を飼育する蓄養水槽の内部の濾過と水温とを常時一定に保持して、紫外線とオゾンの殺菌効果を相乗的にした良好な状態で蓄養するための殺菌装置付活魚蓄養装置に関するものである。
【０００２】
【従来の技術】
従来この種の活魚蓄養装置は、活魚等を入れる蓄養水槽、濾過槽、熱交換槽及び殺菌装置とを各々管体を以て別々の場所に設置するか、蓄養水槽の側面の近傍に濾過槽、熱交換槽及び殺菌装置を設置するものが知られている。
【０００３】
然し、従来の管体を以て接続するものでは、各々別個に製作した部品を組み合せるため、設置場所の面積が大変に大きくなると共に、各部品の連結部分が簡単に破損しやすい問題点と、蓄養水槽と濾過槽、熱交換機及び殺菌装置以外のフィルター槽等を装設することは、装置全体が大きく複雑となり不可能な問題点もある。
【０００４】
また、蓄養水槽の側面又は下部等に各設備を設置するものでは、設置が大変に面倒でコストが高く、管理するのが大変に困難であると共に、不安定な機械の騒音によって活魚に悪い影響を与える問題点を有している。
【０００５】
【発明が解決しようとする課題】
本発明は、従来の上記のような問題点に鑑みてなされたものであり、解決しようとする点は、蓄養水槽、濾過槽、殺菌槽及び熱交換槽等を一体的に区画構成すると共に、該殺菌槽の内部に殺菌装置を内挿し、流水中に浮遊するバクテリア、細菌、その他の微生物を効率的に死滅させて清浄な水を以て活魚の蓄養を完全確実にするとともに、細菌装置用循環ポンプを排除し、設備費と維持をも安価にするものである。
【０００６】
【課題を解決するための手段】
本発明は、上記の目的を達成するために、この殺菌装置付活魚蓄養装置は、蓄養水槽、濾過槽、フィルター槽と、該フィルター槽に隣接して殺菌槽と熱交換槽とによって平坦状に構成する。蓄養水槽の底部に目皿を設け、目皿より吸水路を介してフィルター槽の底部に連通する。フィルター槽には、隣接して濾過槽を装設する。濾過槽の下部より殺菌槽に連通する。この殺菌槽の内部には、各種の微生物を死滅させる殺菌装置を収納した後に熱交換槽を介して軸流ポンプで該濾過槽（４）に循環蓄養するものである。
【０００７】
【実施例】
次に、本発明の実施例を図面について説明すると、蓄養装置本体（１）は、各種の活魚等を飼育できる適宜の大きさの合成樹脂製又はコンクリート板等の構成材料を以て略方形状に形成されている。該蓄養装置本体（１）には、端部に蓄養水槽（２）と、フィルター槽（３）、濾過槽（４）、殺菌槽（５）及び熱交換槽（６）とを以て一体的に組立構成されている。
【０００８】
前記蓄養水槽（２）には、内底部に吸引用の目皿（８）を適宜位置に設けると共に、該目皿（８）の下部に吸水路（９）を連通してある。この吸水路（９）には、一方の端部が隣接するフィルター槽（３）の内部に立設する溢流管（１０）に連結されている。該フィルター槽（３）は、該溢流管（１０）の上部より噴出する糞埃を取除するフィルター（１１）を上部に敷設してある。また、該フィルター槽（３）の下部には空気の分散器等を装設することもある。
【０００９】
次に、前記フィルター槽（３）に隣接して装設されている濾過槽（４）には、内部の下方に通水する各種形状の通孔を設けた多孔板（１２）を敷設する、この多孔板（１２）の上面には、各種の濾過材（１３）（１３）を積層して収容してある。この濾過材（１３）（１３）で濾過された海水は、底部より隣接する殺菌槽（５）に連通してある。該殺菌槽（５）には、内部に流水式の各種の構造よりなる殺菌装置（１４）を装設してある。次に流水は該殺菌槽（５）の上部より隣接する熱交換槽（６）に流水される。また、該熱交換槽（６）には、内部に流水を吸上げる縦型の軸流ポンプ（１５）を配設する。該軸流ポンプ（１５）の流出口（１６）は、前記蓄養水槽（２）に向って排流されて循環するようになっている。
【００１０】
【作用】
本発明は上記の如き構成からなる実施例を図１、図２によって説明すると、蓄養装置本体（１）は、全体を略一体的に構成したものであり、今この作用を図３に示す展開図によって説明すると、熱交換槽（６）に立設されている軸流ポンプ（１５）を始動して熱交換槽（６）内の水を蓄養水槽（２）に流出口（１６）より注入する。この蓄養水槽（２）内の水は底部の目皿（８）より吸水路（９）を得て隣接しているフィルター槽（３）の溢流管（１０）の上部より噴出し、フィルター（１１）によって大きい異物を排除して次の濾過槽（４）の上部より、内部の濾過材（１３）及び多孔板（１２）の下方から上方に通過して濾過され、該殺菌槽（５）の下方より侵入し、該殺菌槽（５）の内部において流水中に浮遊するバクテリア、細菌及びその他の微生物を効率的に死滅させた後に、該殺菌槽（５）の上部より熱交換槽（６）内に侵入し内部の水を再度該軸流ポンプ（１５）で引上げて流水口（１６）より該蓄養水槽（２）に循環するものである。
【００１１】
【発明の効果】
本発明は、上述の如く構成されているので、全体を一体的に著しく小型化できると共に、現場での設置も容易で管理が大変に便利となる効果と、従来処理が不可能であった流水中のバクテリア、細菌及びその他の微生物の死滅が容易に達成できる優れた効果がある。そして、蓄養水槽の底部と連通するフィルター槽の上部に設けたフィルターによって、大きな不純物を取り除き、フィルター槽に連通する濾過槽は、循環水を濾材によって確実に活性と濾過されて水質を良好とする効果がある。更に、濾過槽より流水する隣接位置の殺菌槽内に設けた殺菌装置による殺菌と塩素を分解する紫外線及びオゾン化によって流水中に浮遊するバクテリア、細菌、その他の微生物を効率的に死滅させ殺菌性を持続させる優れた効果がある。また、該殺菌槽に隣接位置の熱交換槽によっては、殺菌槽を通過と同時に水温を一定に冷却又は加熱され、年間を通じて循環水を能率よく適温に維持できる効果がある。更に、熱交換槽の内部に縦設した軸流ポンプは、吸い上げ能力が著しく高く、水槽に容易にセットできるために機械室が不要となり大変に音が静かで騒音を防止できると云う効果もある。
【図面の簡単な説明】
【図１】本発明の殺菌装置付活魚蓄養装置の全体の平面図である。
【図２】同じく本発明の一部欠除した縦断側面図である。
【図３】本発明の装置の順序を展開した縦断側面図である。
【図４】本発明の使用される殺菌装置の一部欠除した正面図である。
【符号の説明】
１          蓄養装置本体
２          蓄養水槽
３          フィルター槽
４          濾過槽
５          殺菌槽
６          熱交換槽
８          目皿
９          吸水路
１０          溢流管
１１          フィルター
１２          多孔板
１３          濾過材
１４          殺菌装置
１５          軸流ポンプ
１６          流出口
【図１】
0004102959.tif 000002
【図２】
0004102959.tif 000003
【図３】
0004102959.tif 000004
【図４】
0004102959.tif 000005